(57)【特許請求の範囲】
【請求項１】
放送波を受信し復調する復調手段と、前記復調手段の出力から得られる番組情報に基づいて放送予定番組ガイドを表示する手段と、前記復調手段の出力の全部又は一部を記録する番組記録手段と、記録した番組内容の一覧表を表示する手段と、表示された一覧表のなかから所望の記録番組を選択する記録番組選択手段と、表示された放送予定番組ガイドのなかから一又は連続する二以上の放送予定番組を選択する放送予定番組選択手段と、前記選択された記録番組を前記選択された放送予定番組の時間に再生するように処理する制御手段と、を備えたことを特徴とする放送受信装置。
【請求項２】
請求項１に記載の放送受信装置において、前記番組情報に基づいて前記選択された記録番組と長さが同等の一又は連続する二以上の放送予定番組を自動的に抽出して前記放送予定番組ガイド上にて提示するようにしたことを特徴とする放送受信装置。
【請求項３】
放送波を受信し復調する復調手段と、前記復調手段の出力から得られる番組情報に基づいて放送予定番組ガイドを表示する手段と、前記復調手段の出力の全部又は一部を記録する番組記録手段と、記録した番組内容の一覧表を表示する手段と、表示された一覧表のなかから所望の記録番組を選択する記録番組選択手段と、前記番組情報に基づいて前記選択された記録番組と長さが同等の一又は連続する二以上の放送予定番組を自動的に抽出して一覧表を表示する手段と、表示された放送予定番組の一覧表のなかから放送予定番組を選択する放送予定番組選択手段と、前記選択された記録番組を前記選択された放送予定番組の時間に再生するように処理する制御手段と、を備えたことを特徴とする放送受信装置。
【請求項４】
請求項２又は請求項３に記載の放送受信装置において、選択された記録番組がシリーズ仕様の番組である場合、放送予定番組の自動抽出に際しては、シリーズ仕様の放送予定番組を抽出するようにしたことを特徴とする放送受信装置。
【請求項５】
請求項１乃至請求項４のいずれかに記載の放送受信装置において、前記選択された記録番組を前記選択された放送予定番組の時間に再生することが確定した場合、放送予定番組ガイドにおける前記選択された放送予定番組の情報が表示されていた箇所に、前記選択された記録番組の情報を書き込んで新たな放送予定番組ガイドを作成するようにしたことを特徴とする放送受信装置。
【請求項６】
請求項１乃至請求項５のいずれかに記載の放送受信装置において、前記選択された記録番組を前記選択された放送予定番組の時間に再生することが確定した場合、記録した番組内容の一覧表における前記選択された記録番組についてはその再生予定日時を反映させて新たな一覧表を作成するようにしたことを特徴とする放送受信装置。
【請求項７】
請求項５又は請求項６に記載の放送受信装置において、新たな放送予定番組ガイド又は新たな一覧表を作成する場合、前記選択された記録番組の情報の表示箇所には再生予約済であることを示す情報を付記するようにしたことを特徴とする放送受信装置。
【請求項８】
放送波を受信し復調する復調手段と、前記復調手段の出力から得られる番組情報に基づいて放送予定番組ガイドを表示する手段と、前記復調手段の出力の全部又は一部を記録する番組記録手段と、記録した番組内容の一覧表を表示する手段と、表示された一覧表のなかから所望の記録番組を選択する記録番組選択手段と、選択された記録番組がシリーズ仕様の番組である場合、毎日又は毎週の一定時刻の入力を促す手段と、前記選択された記録番組を前記入力された毎日又は毎週の一定時刻に再生するように処理する制御手段と、放送予定番組ガイドにおける前記選択された放送予定番組の情報が表示されていた箇所に、前記選択された記録番組の情報を書き込んで新たな放送予定番組ガイドを作成する手段と、を備えたことを特徴とする放送受信装置。
【発明の詳細な説明】
【０００１】
【産業上の利用分野】
この発明は、ディジタル放送を受信するディジタル放送受信装置に関する。
【０００２】
【従来の技術】
ディジタル信号圧縮技術を用いて映像・音声信号を圧縮するとともに、複数番組の映像・音声ディジタル信号を時分割多重したストリーム（トランスポートストリーム）をトランスポンダ（衛星中継器）を経由して放送するディジタル放送がある。一方、このようなディジタル放送を受信する放送受信装置は、専用のアンテナを通して受け取ったディジタル放送の複数のトランスポンダのなかから一つをチューナによって選択し、この一つのトランスポンダに含まれる複数のチャンネルのうち一つをデマルチプレクス処理によって選択し、この選択したチャンネルのディジタル信号をデコードすることによって映像・音声信号を出力するようになっている。
【０００３】
ところで、このようなディジタルテレビ放送では、従来のアナログ放送と同様に映像や音声を送信することに加え、サービス情報（番組名、番組内容、番組開始時刻、番組終了時刻、番組ジャンルコード等）も送信しており、受信機側ではＯＳＤ（オンスクリーンディスプレイ）機能を用いたＥＰＧ（Ｅｌｅｃｔｒｏｎｉｃ  Ｐｒｏｇｒａｍ  Ｇｕｉｄｅ）画面表示機能によって、多チャンネル放送のなかからユーザが望む番組を効率良く選択することができる。そして、前記ＥＰＧ機能を用い、放送予定されている番組をＥＰＧ上で選択して視聴予約や録画予約を行うことが可能である。この録画予約においては、前記トランスポートストリームを記録し、後でこの記録したトランスポートストリームから番組を取り出して提示（映像出力、音声出力、データ表示出力）することが可能である。
【０００４】
【発明が解決しようとする課題】
しかしながら、上記の録画予約においては、番組を記録したものの、そのことをすっかり失念してしまい、このために記録部に番組が累積し、新たな番組記録が行えなくなることがある。また、記録した番組について日時を指定して再生させる再生予約を行うことが考えられるが、その指定した日時に放送される番組の確認を行わないと、予約再生のために見たい番組を見ることができなかったという不都合が生じるおそれがある。
【０００５】
この発明は、上記の事情に鑑み、予約録画した番組を利用者が望む日時において且つ利用者が見たい番組が放送されるときを避けて予約再生することができるディジタル放送受信装置を提供することを目的とする。
【０００６】
【課題を解決するための手段】
この発明の放送受信装置は、上記の課題を解決するために、放送波を受信し復調する復調手段と、前記復調手段の出力から得られる番組情報に基づいて放送予定番組ガイドを表示する手段と、前記復調手段の出力の全部又は一部を記録する番組記録手段と、記録した番組内容の一覧表を表示する手段と、表示された一覧表のなかから所望の記録番組を選択する記録番組選択手段と、表示された放送予定番組ガイドのなかから一又は連続する二以上の放送予定番組を選択する放送予定番組選択手段と、前記選択された記録番組を前記選択された放送予定番組の時間に再生するように処理する制御手段と、を備えたことを特徴とする。
【０００７】
上記の構成であれば、利用者は選択した記録番組の入れ換え相手となる放送予定番組（見ない予定の番組）を放送予定番組ガイドを見ながら選択することができるから、記録番組を利用者が望む日時において且つ利用者が見たい番組が放送されるときを避けて予約再生することが確実に行えることになる。
【０００８】
番組情報に基づいて選択された記録番組と長さが同等の一又は連続する二以上の放送予定番組を自動的に抽出して放送予定番組ガイド上にて提示するようにしてもよい。これによれば、選択された記録番組と長さが同等の一又は連続する二以上の放送予定番組を捜し出す利用者の手間を省くことができる。
【０００９】
また、この発明の放送受信装置は、放送波を受信し復調する復調手段と、前記復調手段の出力から得られる番組情報に基づいて放送予定番組ガイドを表示する手段と、前記復調手段の出力の全部又は一部を記録する番組記録手段と、記録した番組内容の一覧表を表示する手段と、表示された一覧表のなかから所望の記録番組を選択する記録番組選択手段と、前記番組情報に基づいて前記選択された記録番組と長さが同等の一又は連続する二以上の放送予定番組を自動的に抽出して一覧表を表示する手段と、表示された放送予定番組の一覧表のなかから放送予定番組を選択する放送予定番組選択手段と、前記選択された記録番組を前記選択された放送予定番組の時間に再生するように処理する制御手段と、を備えたことを特徴とする。
【００１０】
上記の構成によれば、利用者は選択した記録番組の入れ換え相手となる放送予定番組（見ない予定の番組）を番組長さが同等として抽出された放送予定番組の一覧表を見ながら選択することができ、記録番組を利用者が望む日時において且つ利用者が見たい番組が放送されるときを避けて予約再生することが確実に行えることになる。
【００１１】
選択された記録番組がシリーズ仕様の番組である場合、放送予定番組の自動抽出に際しては、シリーズ仕様の放送予定番組を抽出するようにしてもよい。
【００１２】
選択された記録番組を選択された放送予定番組の時間に再生することが確定した場合、放送予定番組ガイドにおける前記選択された放送予定番組の情報が表示されていた箇所に、前記選択された記録番組の情報を書き込んで新たな放送予定番組ガイドを作成するのがよい。これによれば、入れ換えの内容を利用者は頭に留めておく必要が無く、新たな放送予定番組ガイドを見ることで再生予定日時を知ることができる。
【００１３】
選択された記録番組を選択された放送予定番組の時間に再生することが確定した場合、記録した番組内容の一覧表における前記選択された記録番組についてはその再生予定日時を反映させて新たな一覧表を作成するのがよい。これによれば、入れ換えの内容を利用者は頭に留めておく必要が無く、新たな一覧表を見ることで再生予定日時を知ることができる。
【００１４】
新たな放送予定番組ガイド又は新たな一覧表を作成する場合、前記選択された記録番組の情報の表示箇所には再生予約済であることを示す情報を付記するのがよい。
【００１５】
また、この発明の放送受信装置は、放送波を受信し復調する復調手段と、前記復調手段の出力から得られる番組情報に基づいて放送予定番組ガイドを表示する手段と、前記復調手段の出力の全部又は一部を記録する番組記録手段と、記録した番組内容の一覧表を表示する手段と、表示された一覧表のなかから所望の記録番組を選択する記録番組選択手段と、選択された記録番組がシリーズ仕様の番組である場合、毎日又は毎週の一定時刻の入力を促す手段と、前記選択された記録番組を前記入力された毎日又は毎週の一定時刻に再生するように処理する制御手段と、放送予定番組ガイドにおける前記選択された放送予定番組の情報が表示されていた箇所に、前記選択された記録番組の情報を書き込んで新たな放送予定番組ガイドを作成する手段と、を備えたことを特徴とする。
【００１６】
かかる構成においては、利用者は、選択した記録番組がシリーズ仕様の番組である場合に毎日又は毎週の一定時刻の入力を行うことになる。この入力においては、利用者は選択した記録番組の入れ換え相手となる放送予定番組として別のシリーズ仕様の番組（見ない予定の番組）を選ぶことになろう。例えば、利用者が放送を見ることができる時間（例えば、朝の７時）には見たくないシリーズ番組が放送されており、利用者が放送を見ることができない時間（例えば、正午）には、見たいシリーズ番組が放送されているとすると、この二つのシリーズ番組を入れ換えて見ることができ、再生のために見たい番組が見れなかったという不都合は発生しないことになる。
【００１７】
【発明の実施の形態】
以下、この発明の実施形態を図１乃至図５に基づいて説明するが、ここではユーザがＢＳ（Ｂｒｏａｄｃａｓｔｉｎｇ  ｖｉａ  Ｓａｔｅｌｌｉｔｅ）ディジタル放送を視聴する場合を例示している。
【００１８】
図１に示すアンテナ１は、屋外において所定の方向に向けて配置されており、ＢＳから送られてくるディジタル放送信号を受信する。このアンテナ１は、一般に周波数変換器を備え、受信／周波数変換した信号をチューナ２に与える。
【００１９】
チューナ２は、受信した高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００２０】
ストリーム記録・再生部３は、チューナ２から出力されたトランスポートストリームをハードディスク（ＨＤＤ）４に書き込み（記録）、また、ハードディスク４からトランスポートストリームを読み出す（再生）。この記録・再生の指令はＣＰＵ１７によって行われる。
【００２１】
スイッチ（ＳＷ）５は、ＣＰＵ１７の指令に基づいて前記チューナ２からのトランスポートストリームを出力するか前記ハードディスク４から再生されたトランスポートストリームを出力するかを切り換える。この切り換え指令は、ＣＰＵ１７から出力される。
【００２２】
デマルチプレクサ（ＤＥＭＵＸ）６は、スイッチ５から受け取ったトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクサ６は、ビデオトランスポートパケットとオーディオトランスポートパケットをＡＶデコーダ７に供給し、ＰＳＩ／ＳＩをＣＰＵ１７に供給する。なお、前述のごとく、トランスポート・ストリームには複数のチャンネルが多重化されており、このなかから任意のチャンネルを選択するための処理は、前記ＰＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩの情報に基づいて行うことができる。更に、前記サービス情報（ＳＩ）には、番組情報（番組内容、番組開始時刻、番組終了時刻、ジャンルコード等）が含まれている。
【００２３】
ＡＶデコーダ７は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。
【００２４】
映像処理回路８は、ＡＶデコーダ７から映像データを受け取ってＤ／Ａ変換を行い、例えばＮＴＳＣフォーマットのコンポジット信号に変換する。音声信号処理回路９は、ＡＶデコーダ７から出力された音声データを受け取ってＤ／Ａ変換を行い、例えば右（Ｒ）音のアナログ信号および左（Ｌ）音のアナログ信号を生成する。
【００２５】
映像出力回路１０及び音声出力回路１１は出力抵抗や増幅器等を備えて成る。ＡＶ出力端子１２には出力部（左右音声出力端子等や映像出力端子のセット）が設けられており、この出力部には、映像／音声コード１３によって受像部やスピーカを備えるモニタ１４が接続される。
【００２６】
ＯＳＤ（オンスクリーンディスプレイ）回路１９は、ＣＰＵ１７から出力指示された文字情報や色情報に基づくビットマップデータを加算器２０に出力する。加算器２０は前記ビットマップデータを映像に組み込む処理を行う。上記ＯＳＤ回路１９により、ＣＰＵ１７が受け取ったＰＳＩ／ＳＩに基づくＥＰＧ（Ｅｌｅｃｔｒｏｎｉｃ  Ｐｒｏｇｒａｍ  Ｇｕｉｄｅ）画面表示の他、予約録画一覧画面表示などが実現される。
【００２７】
リモコン送信機１５は、当該放送受信装置３０に指令を送出するための送信機である。図３（ｂ）はリモコン送信機１５の外観例を示している。このリモコン送信機１５に設けられたキーを操作すると、そのキーに対応した指令を意味する信号光（リモコン信号）が図示しない発光部から送出される。リモコン受光器１６は、前記リモコン送信機１５のキーが操作されたときに出射される信号光を受光し、これを電気信号に変換してＣＰＵ１７に与える。
【００２８】
メモリ（例えば、ＥＥＰＲＯＭなど）１８には、番組ガイドに利用されるサービス情報（番組内容、番組開始時刻、番組終了時刻、ジャンル情報等）、予約録画情報（対象番組やその放送日時情報等）、予約再生情報（対象番組やその再生予約日時情報等）などが格納される。
【００２９】
利用者が番組の予約録画を行う場合には、リモコン送信機１５によって必要な入力操作を行う。ＣＰＵ１７は、メモリ１８に格納されている番組情報に基づいて放送予定の番組ガイドを作成し、ＯＳＤ回路１９にその表示指令を出す。放送予定の番組ガイドは、例えば、図２（ａ）のごとく構成される。ＯＳＤ回路１９は前記番組ガイドの映像を受信映像にスーパーインポーズする。利用者は上記番組ガイドを画面上で見ながらリモコン送信機１５の上下左右キーでカーソル（色変わり部分）を移動させ、決定キーを押下することで番組を予約することができる。ＣＰＵ１７は、上記選択された番組に関する情報（番組ＩＤ，番組名，チャンネル，放送時間等）を予約録画情報としてメモリ１８に格納する。
【００３０】
ＣＰＵ１７は、メモリ１８に格納された次に実行すべき予約録画情報を読み出し、時刻の監視によって予約録画開始時刻の到来を判断すると、チューナ２に対して番組受信に必要な指令を与えると共に、ストリーム記録・再生部３に対して記録開始の指令を出す。ストリーム記録・再生部３は、チューナ２から出力されるトランスポートストリーム（ＴＳ）を受け取る共に、ハードディスク４に記録制御信号を出力し、ＴＳの全て（フルＴＳ）又は一部（パーシャルＴＳ）をハードディスク４に記録させる。そして、ＣＰＵ１７は、記録が終了した番組については、予約録画情報において「済」の情報が付加されて管理される。
【００３１】
上記予約録画が完了した後、利用者はリモコン送信機１５のキーを操作し、予約録画一覧を画面に表示させる。このとき、ＣＰＵ１７はメモリ１８から予約録画情報を読み出し、予約録画一覧を作成し、ＯＳＤ回路１９にて映像表示させる（図５のフローチャートのステップＳ１，ステップＳ２参照）。予約録画一覧は、例えば、図３（ａ）のごとく構成される。利用者がこの予約録画一覧の表示画面上でカーソルを移動させてリモコン送信機１５の決定キーを操作すると、ＣＰＵ１７は記録番組の選択が行われたと判断し、これを受けて番組入替えモードに入る（ステップＳ３〜ステップＳ７）。なお、リモコン送信機１５に「番組入れ換えキー」といった特定キーを設けておき、これが利用者によって操作されたときに、番組入替えモードに入るようにしてもよい。ここでは、図４に示すように、利用者が「日米対抗野球」という記録番組を選択したとする。
【００３２】
ＣＰＵ１７は、番組入替えモードに入ると、前述と同様の処理にて画面に番組ガイドを表示させる（ステップＳ８）。そして、前記選択された記録番組と長さが同等の一又は連続する二以上の放送予定番組を番組ガイドのなかから自動的に抽出し、図２（ａ）に示すごとく、放送予定番組ガイド上にて色変わりさせて提示する。図では番組Ａが同等の長さを有するものとして提示されている。番組の長さは番組情報に基づいて知ることができる。利用者は、リモコン送信機１５を用いたカーソル移動キーと決定キーの操作にて、上記放送予定番組ガイド上で色変わりしている番組のなかから所望の番組（見ない予定の番組）を選択する（ステップＳ１１）。そして、利用者がリモコン送信機１５の終了キーを操作することで、番組入替えが確定する（ステップＳ１０）。ここでは、９月２０日の午後３時から始まる３時間の長さの「番組Ａ」が選択され確定したものとして説明を進めていく。
【００３３】
ＣＰＵ１７は、番組入替えモードでの放送予定番組ガイド上で番組が選択されたときには、この選択された放送予定番組（「番組Ａ」）の時間に前記選択された記録番組（「日米対抗野球」）を再生するように処理する。そして、番組ガイド表示においては、「番組Ａ」代えて「日米対抗野球」が９月２０日の午後３時から始まるとした新たな番組ガイドを作成し、図２（ｂ）のごとく表示する。なお、この新たな番組ガイドにおいては、前記選択された記録番組（「日米対抗野球」）の情報の表示箇所には再生予約済であることを示す情報（図では「予再」の文字）を付記している。
【００３４】
ＣＰＵ１７は、９月２０日の午後３時が到来すると、ストリーム記録・再生部３に上記記録番組の再生を指令し、スイッチ５に対してはストリーム記録・再生部３からのストリームをデマルチプレクサ６に供給するように指令する。ストリーム記録・再生部３がハードディスク４から読み出した上記番組のトランスポートストリームは、デマルチプレクサ６にてビデオトランスポートパケットとオーディオトランスポートパケットに分離されてＡＶデコーダ７に供給され、映像処理回路８等を経てモニタ１４の画面に番組が表示されることになる。
【００３５】
ＣＰＵ１７は、更に、図４（ａ）に示した元々の予約録画一覧を、同図（ｂ）に示すごとく変更して新たな予約録画一覧を作成する。ここでは、９月１５日の午後３時から放送された「日米対抗野球」が９月２０日の午後３時から放送予定の番組と入れ換えられ、９月１６日の午後３時半から放送された「サッカーリーグ」が９月２１日の午後３時半から放送予定の番組と入れ換えられ、９月１７日の午後２時半から放送された「国際女子マラソン」が９月２２日の午後２時半から放送予定の番組と入れ換えられたとする。このような入れ換えを反映し、新たな予約録画一覧では番組を日にち順に並び換えている。更に、「録済」の表記を「再生」の表記に変えている。これにより、利用者にとっては、予約録画一覧を見ることで、録画の終了状況だけでなく再生予定日程をも容易に把握できるようになる。
【００３６】
ところで、放送番組のなかには毎日或いは毎週の一定時刻に放送されるシリーズ番組があり、このような番組については、番組情報としてシリーズ記述子が付加されている。このようなシリーズ仕様の番組についての入れ換え処理においては、放送予定番組の自動抽出に際して同様のシリーズ仕様の放送予定番組を抽出することとしてもよい。すなわち、録画予約で記録する番組がシリーズ仕様の番組で例えば毎週の一定時刻に放送されるものである場合、その入れ換えの相手となる番組についても、毎週の一定時刻に放送されるもので番組長さが対応するものを自動的に抽出し、これとの入れ換えを利用者に促すように処理するようにしてもよい。
【００３７】
また、以上説明した形態では、記録番組と番組長さが対応する入れ換え相手となる放送予定番組を自動抽出し、この自動抽出した放送予定番組を放送予定番組ガイド上で示すこととしたが、このような放送予定番組ガイド上で示すことに限定するものではなく、自動抽出した放送予定番組を一覧表として表示するようにしてもよいものである。そして、この表示された放送予定番組の一覧表のなかから放送予定番組を利用者がリモコン送信機１５等を用いて選択し、記録番組を前記選択された放送予定番組の時間に再生するようにしてもよいものである。勿論、このような構成においても、番組入れ換えの内容を反映させた新たな放送予定番組ガイドを作成するようにしてもよい。また、自動抽出に限らず、通常の番組ガイド上で利用者が入れ換え番組を捜し出すようにしてもかまわない。
【００３８】
また、これまでの説明においては、放送予定番組ガイドや上記の自動抽出した放送予定番組の一覧表上で入れ換え相手となる放送予定番組を決定することとしたが、シリーズ仕様の番組についての入れ換え処理においては、上記のような放送予定番組ガイド等を利用せずに、毎日又は毎週の一定時刻の入力を画面表示等によって利用者に促すこととしてもよい。例えば、図５のフローチャートにおけるステップＳ６で選択された番組がシリーズ仕様の番組である場合、ステップＳ８の番組ガイド表示の処理に代えて、毎日又は毎週の一定時刻の入力を促す画面表示を行う。この後の処理は図５のフローチャートとは異なり、上記入力を促す画面表示上で利用者によって入力された「毎日」や「曜日」や指定時間を予約再生情報としてメモリ１８に格納し、この予約再生情報に基づいて、選択された記録番組を毎日又は毎週の一定時刻に再生することになる。番組入れ換えの反映は前述したように新たな放送予定番組ガイドの作成や新たな予約録画一覧の作成で行えるが、シリーズ仕様の番組については、新たな予約録画一覧の作成では対応し難いので、新たな放送予定番組ガイドの作成で対応する。
【００３９】
【発明の効果】
以上説明したように、この発明によれば、記録番組を利用者が望む日時において且つ利用者が見たい番組が放送されるときを避けて予約再生することが確実に行えるという効果を奏する。
【図面の簡単な説明】
【図１】  この発明の実施形態の放送受信装置を示すブロック図である。
【図２】  同図（ａ）は番組入れ換えモード時の放送予定番組ガイドを示した説明図であり、同図（ｂ）は番組入れ換えの確定後に新たに作成された放送予定番組ガイドを示した説明図である。
【図３】  同図（ａ）は予約録画一覧の画面例を示した説明図であり、同図（ｂ）はリモコン送信機の平面図である。
【図４】  番組入れ換え前の状態の予約録画一覧の画面を上側に示し、番組入れ換え後に新たに作成した予約録画一覧の画面を下側に示した説明図である。
【図５】  番組入れ換えに関わる処理内容を示したフローチャートである。
【図１】
0003877539.tif 000002
【図２】
0003877539.tif 000003
【図３】
0003877539.tif 000004
【図４】
0003877539.tif 000005
【図５】
0003877539.tif 000006